(57)【要約】【課題】操作の誤検出を抑制しつつ、操作性を向上する。【解決手段】タブレット端末装置１００は、ディスプレー１１及び制御部２を備える。制御部２は、検出部２０３、第１判定部２０４、計時部２０５、第２判定部２０６、及び実行部２０７を備える。検出部２０２は、タッチ操作ＯＰが行われている位置を示す操作位置ＴＰを検出する。第１判定部２０４は、操作位置ＴＰが特定領域ＡＲ内の位置であるか否かを判定する。計時部２０５は、特定領域ＡＲ内において操作位置ＴＰを検出している期間を示す第１操作期間ＰＤ１を求める。第２判定部２０６は、第１操作期間ＰＤ１が第１応答期間ＰＤＡ以上であるか否かを判定する。実行部２０７は、第１操作期間ＰＤ１が第１応答期間ＰＤＡ以上である場合に、第１オブジェクトＢＪ１に割り当てられた機能を実行する。【選択図】図２
2018163551.tif 000002
【特許請求の範囲】
【請求項１】
複数のオブジェクトをディスプレーに表示する表示制御装置であって、
前記複数のオブジェクトのうちの少なくとも１つのオブジェクトには、機能が割り当てられており、
前記１つのオブジェクトは、特定領域と、前記特定領域とは異なる非特定領域とを有し、
前記特定領域へのユーザーによる操作、及び前記非特定領域へのユーザーによる操作を検出する検出部と、
前記操作を前記検出部が検出している期間が応答期間に到達したときに、前記機能を実行する実行部と
を備え、
前記特定領域への前記操作に基づく前記応答期間を示す第１応答期間は、前記１つのオブジェクトへの前記操作に基づく前記応答期間を示す第２応答期間より短い、表示制御装置。
【請求項２】
前記非特定領域は、前記１つのオブジェクトの領域のうち、前記特定領域以外の領域を示す、請求項１に記載の表示制御装置。
【請求項３】
前記１つのオブジェクト以外のオブジェクトから前記特定領域までの距離は、前記１つのオブジェクトと前記１つのオブジェクト以外のオブジェクトとの間の距離より大きい、請求項１又は請求項２に記載の表示制御装置。
【請求項４】
前記１つのオブジェクトの周囲からの前記特定領域までの距離は、所定の閾値距離以上である、請求項１から請求項３のいずれか１項に記載の表示制御装置。
【請求項５】
タッチセンサーを更に備え、
前記検出部は、前記操作として、前記タッチセンサーを介してタッチ操作を検出する、請求項１から請求項４のいずれか１項に記載の表示制御装置。
【請求項６】
前記操作が行われている位置を示す操作位置が、前記特定領域内にあるか否かを判定する第１判定部と、
前記操作位置が前記特定領域内にある期間を示す第１操作期間を求める計時部と、
前記第１操作期間が前記第１応答期間以上であるか否かを判定する第２判定部と
を更に備え、
前記検出部は、前記操作位置を検出し、
前記実行部は、前記第１操作期間が前記第１応答期間以上であると前記第２判定部が判定した場合に、前記機能を実行する、請求項１から請求項５のいずれか１項に記載の表示制御装置。
【請求項７】
前記第１判定部は、前記操作位置が前記１つのオブジェクトの領域内にあるか否かを判定し、
前記計時部は、前記操作位置が前記１つのオブジェクトの領域内にある期間を示す第２操作期間を求め、
前記第２判定部は、前記第２操作期間が前記第２応答期間以上であるか否かを判定し、
前記実行部は、前記第２操作期間が前記第２応答期間以上であると前記第２判定部が判定した場合に、前記機能を実行する、請求項６に記載の表示制御装置。
【請求項８】
複数のオブジェクトをディスプレーに表示する表示制御方法であって、
前記複数のオブジェクトのうちの少なくとも１つのオブジェクトには、機能が割り当てられており、
前記１つのオブジェクトは、特定領域と、前記特定領域とは異なる非特定領域とを有し、
前記特定領域へのユーザーによる操作、及び前記非特定領域へのユーザーによる操作を検出する検出ステップと、
前記操作を検出している期間が応答期間に到達したときに、前記機能を実行する実行ステップと
を含み、
前記特定領域への前記操作に基づく前記応答期間を示す第１応答期間は、前記１つのオブジェクトへの前記操作に基づく前記応答期間を示す第２応答期間より短い、表示制御方法。
【請求項９】
複数のオブジェクトをディスプレーに表示する画像形成装置であって、
前記複数のオブジェクトのうちの少なくとも１つのオブジェクトには、機能が割り当てられており、
前記１つのオブジェクトは、特定領域と、前記特定領域とは異なる非特定領域とを有し、
前記特定領域へのユーザーによる操作、及び前記非特定領域へのユーザーによる操作を検出する検出部と、
前記操作を前記検出部が検出している期間が応答期間に到達したときに、前記機能を実行する実行部と
を備え、
前記特定領域への前記操作に基づく前記応答期間を示す第１応答期間は、前記１つのオブジェクトへの前記操作に基づく前記応答期間を示す第２応答期間より短い、画像形成装置。
【発明の詳細な説明】
【技術分野】
【０００１】
本発明は、ディスプレーを備える表示制御装置、表示制御方法、及び画像形成装置に関する。
【背景技術】
【０００２】
特許文献１に記載の携帯端末装置は、キー配置面とタッチパッドと制御部と表示部とを備える。キー配置面は、複数のキーを有する。タッチパッドは、各キーにユーザーが接触したことを検出する。ユーザーがキーに接触したことをタッチパッドが検出すると、制御部は、ユーザーが接触したキーに割り付けられた文字を順に候補文字として表示部に表示する。キーにユーザーが接触したことをタッチパッドが検出した後に、キーにユーザーが接触していない時間が所定時間続いたときに、制御部は、表示部に表示された候補文字を確定する。
【先行技術文献】
【特許文献】
【０００３】
【特許文献１】特開２００７−７９９９０号公報
【発明の概要】
【発明が解決しようとする課題】
【０００４】
しかしながら、特許文献１に記載の携帯端末装置では、キーにユーザーが接触していない時間が所定時間続いたときに、制御部は、表示部に表示された候補文字を確定する。したがって、所定時間の長さに応じて、操作の誤検出を抑制できるが、操作に要する時間が長くなる可能性がある。その結果、操作性が低下する可能性がある。
【０００５】
本発明は、上記課題に鑑みてなされたものであり、操作の誤検出を抑制しつつ、操作性を向上可能な表示制御装置、表示制御方法、及び画像形成装置を提供することを目的としている。
【課題を解決するための手段】
【０００６】
本発明に係る表示制御装置は、複数のオブジェクトをディスプレーに表示する表示制御装置である。前記複数のオブジェクトのうちの少なくとも１つのオブジェクトには、機能が割り当てられている。前記１つのオブジェクトは、特定領域と、前記特定領域とは異なる非特定領域とを有する。前記表示制御装置は、検出部、及び実行部を備える。前記検出部は、前記特定領域へのユーザーによる操作、及び前記非特定領域へのユーザーによる操作を検出する。前記実行部は、前記操作を前記検出部が検出している期間が応答期間に到達したときに、前記機能を実行する。前記特定領域への前記操作に基づく前記応答期間を示す第１応答期間は、前記１つのオブジェクトへの前記操作に基づく前記応答期間を示す第２応答期間より短い。
【０００７】
本発明に係る表示制御方法は、複数のオブジェクトをディスプレーに表示する表示制御方法である。前記複数のオブジェクトのうちの少なくとも１つのオブジェクトには、機能が割り当てられている。前記１つのオブジェクトは、特定領域と、前記特定領域とは異なる非特定領域とを有する。前記表示制御方法は、検出ステップと、実行ステップとを含む。前記検出ステップでは、前記特定領域へのユーザーによる操作、及び前記非特定領域へのユーザーによる操作を検出する。前記実行ステップでは、前記操作を検出している期間が応答期間に到達したときに、前記機能を実行する。前記特定領域への前記操作に基づく前記応答期間を示す第１応答期間は、前記１つのオブジェクトへの前記操作に基づく前記応答期間を示す第２応答期間より短い。
【０００８】
本発明に係る画像形成装置は、複数のオブジェクトをディスプレーに表示する画像形成装置である。前記複数のオブジェクトのうちの少なくとも１つのオブジェクトには、機能が割り当てられている。前記１つのオブジェクトは、特定領域と、前記特定領域とは異なる非特定領域とを有する。前記表示制御装置は、検出部、及び実行部を備える。前記検出部は、前記特定領域へのユーザーによる操作、及び前記非特定領域へのユーザーによる操作を検出する。前記実行部は、前記操作を前記検出部が検出している期間が応答期間に到達したときに、前記機能を実行する。前記特定領域への前記操作に基づく前記応答期間を示す第１応答期間は、前記１つのオブジェクトへの前記操作に基づく前記応答期間を示す第２応答期間より短い。
【発明の効果】
【０００９】
本発明の表示制御装置、表示制御方法、及び画像形成装置によれば、操作の誤検出を抑制しつつ、操作性を向上できる。
【図面の簡単な説明】
【００１０】
【図１】本発明に係るタブレット端末装置の構成の一例を示す図である。
【図２】制御部の構成の一例を示す図である。
【図３】操作画面の一例を示す画面図である。
【図４】第１オブジェクトの特定領域及び非特定領域の一例を示す図である。
【図５】第１オブジェクトの特定領域及び非特定領域の図４とは別の一例を示す図である。
【図６】制御部の処理の一例を示すフローチャートである。
【図７】制御部の処理の一例を示すフローチャートである。
【図８】本発明に係る画像形成装置の構成の一例を示す図である。
【発明を実施するための形態】
【００１１】
以下、本発明の実施形態について、図面（図１〜図８）を参照しながら説明する。なお、図中、同一又は相当部分については同一の参照符号を付して説明を繰り返さない。
【００１２】
まず、図１を参照して本発明に係るタブレット端末装置１００の構成について説明する。図１は、タブレット端末装置１００の構成の一例を示す図である。
【００１３】
図１に示すように、タブレット端末装置１００はタッチパネル１及び制御部２を備える。タブレット端末装置１００は、「表示制御装置」の一例に相当する。タッチパネル１は画像を表示すると共に、ユーザーからの操作を受け付ける。制御部２はタッチパネル１の動作を制御する。
【００１４】
タッチパネル１は、ディスプレー１１及びタッチセンサー１２を備える。ディスプレー１１は画像を表示する。タッチセンサー１２はタッチパネル１への物体の接触位置を検出する。具体的には、タッチセンサー１２はタッチパネル１へのユーザーの操作位置を検出する。タッチセンサー１２は、例えばディスプレー１１の表示面上に配置される。
【００１５】
制御部２は、プロセッサー２１及び記憶部２２を備える。プロセッサー２１は、例えばＣＰＵ（Ｃｅｎｔｒａｌ  Ｐｒｏｃｅｓｓｉｎｇ  Ｕｎｉｔ）を備える。記憶部２２は、半導体メモリーのようなメモリーを備え、ＨＤＤ（Ｈａｒｄ  Ｄｉｓｋ  Ｄｒｉｖｅ）を備えてもよい。記憶部２２は、制御プログラムを記憶している。
【００１６】
次に、図１及び図２を参照して、制御部２の構成について説明する。図２は、制御部２の構成の一例を示す図である。制御部２は、表示部２０１、受付部２０２、検出部２０３、第１判定部２０４、計時部２０５、第２判定部２０６及び実行部２０７を備える。具体的には、プロセッサー２１は、記憶部２２に記憶された制御プログラムを読み出して実行することによって、表示部２０１、受付部２０２、検出部２０３、第１判定部２０４、計時部２０５、第２判定部２０６及び実行部２０７として機能する。
【００１７】
表示部２０１は、複数のオブジェクトＢＪをディスプレー１１に表示する。オブジェクトＢＪは、例えば、ボタンオブジェクトを示す。
【００１８】
受付部２０２は、ディスプレー１１に表示されている複数のオブジェクトＢＪのうち、いずれか１つのオブジェクトＢＪ１に対する「操作」を受け付ける。「操作」は、例えばタッチ操作ＯＰを示す。１つのオブジェクトＢＪ１を、以下の説明では、第１オブジェクトＢＪ１という場合がある。
【００１９】
第１オブジェクトＢＪ１は、特定領域ＡＲ及び非特定領域ＢＲを有する。特定領域ＡＲ及び非特定領域ＢＲについては図４を参照して後述する。
【００２０】
検出部２０３は、受付部２０２がタッチ操作ＯＰを受け付けた場合に、特定領域ＡＲへのユーザーによるタッチ操作ＯＰ、及び非特定領域ＢＲへのユーザーによるタッチ操作ＯＰを検出する。具体的には、検出部２０３は、第１オブジェクトＢＪ１の領域内において操作位置ＴＰを検出する。操作位置ＴＰは、タッチ操作ＯＰが行われている位置を示す。
【００２１】
第１判定部２０４は、操作位置ＴＰが第１オブジェクトＢＪ１の特定領域ＡＲ内にあるか否かを判定する。また、第１判定部２０４は、操作位置ＴＰが第１オブジェクトＢＪ１の領域内にあるか否かを判定する。
【００２２】
計時部２０５は、操作位置ＴＰが特定領域ＡＲ内にあると第１判定部２０４が判定した場合に、第１操作期間ＰＤ１を求める。第１操作期間ＰＤ１は、検出部２０３が特定領域ＡＲ内において操作位置ＴＰを検出している期間を示す。具体的には、第１操作期間ＰＤ１は、検出部２０３が特定領域ＡＲ内において操作位置ＴＰを連続して検出し続けている期間を示す。
【００２３】
また、計時部２０５は、操作位置ＴＰが第１オブジェクトＢＪ１の領域内にあると第１判定部２０４が判定した場合に、第２操作期間ＰＤ２を求める。第２操作期間ＰＤ２は、検出部２０３が第１オブジェクトＢＪ１の領域内において操作位置ＴＰを検出している期間を示す。具体的には、第２操作期間ＰＤ２は、検出部２０３が第１オブジェクトＢＪ１の領域内において操作位置ＴＰを連続して検出し続けている期間を示す。
【００２４】
第２判定部２０６は、第１操作期間ＰＤ１が第１応答期間ＰＤＡ以上であるか否かを判定する。第１応答期間ＰＤＡは、第１操作期間ＰＤ１に基づく応答期間を示す。具体的には、第１応答期間ＰＤＡは、特定領域ＡＲへのユーザーによるタッチ操作ＯＰを受け付けた時点から、第１オブジェクトＢＪ１に割り当てられた機能の実行を開始する時点までの期間を示す。また、第２判定部２０６は、第２操作期間ＰＤ２が第２応答期間ＰＤＢ以上であるか否かを判定する。第２応答期間ＰＤＢは、第２操作期間ＰＤ２に基づく応答期間を示す。具体的には、第２応答期間ＰＤＢは、第１オブジェクトＢＪ１へのユーザーによるタッチ操作ＯＰを受け付けた時点から、第１オブジェクトＢＪ１に割り当てられた機能の実行を開始する時点までの期間を示す。
【００２５】
実行部２０７は、第１操作期間ＰＤ１が第１応答期間ＰＤＡに到達したときに、第１オブジェクトＢＪ１に割り当てられた機能を実行する。具体的には、第１操作期間ＰＤ１が第１応答期間ＰＤＡ以上であると第２判定部２０６が判定した場合に、実行部２０７は、第１オブジェクトＢＪ１に割り当てられた機能に対応する処理を実行する。実行部２０７は、例えば、コピー画面をディスプレー１１に表示する。コピー画面は、コピー条件を設定する画面を示す。すなわち、「第１オブジェクトＢＪ１に割り当てられた機能」は、例えばコピー画面をディスプレー１１に表示する機能を示す。
【００２６】
また、実行部２０７は、第２操作期間ＰＤ２が第２応答期間ＰＤＢに到達したときに、第１オブジェクトＢＪ１に割り当てられた機能を実行する。具体的には、第２操作期間ＰＤ２が第２応答期間ＰＤＢ以上であると第２判定部２０６が判定した場合に、実行部２０７は、第１オブジェクトＢＪ１に割り当てられた機能に対応する処理を実行する。
【００２７】
以上、図１及び図２を参照して説明したように、本発明の実施形態では、第１操作期間ＰＤ１が第１応答期間ＰＤＡに到達したときに、実行部２０７が第１オブジェクトＢＪ１に割り当てられた機能を実行する。第１操作期間ＰＤ１は、特定領域ＡＲへのユーザーによるタッチ操作ＯＰを検出部２０３が検出している期間を示す。また、第２操作期間ＰＤ２が第２応答期間ＰＤＢに到達したときに、第１オブジェクトＢＪ１に割り当てられた機能を実行する。第２操作期間ＰＤ２は、第１オブジェクトＢＪ１の領域内へのユーザーによるタッチ操作ＯＰを検出部２０３が検出している期間を示す。第１応答期間ＰＤＡは、第２応答期間ＰＤＢより短い。したがって、特定領域ＡＲを適正な領域に設定することによって、操作の誤検出を抑制しつつ、操作性を向上が可能になる。例えば、特定領域ＡＲを第１オブジェクトＢＪ１の中心に近い領域に設定することによって、操作の誤検出を抑制しつつ、操作性を向上できる。
【００２８】
また、第１操作期間ＰＤ１が第１応答期間ＰＤＡ以上である場合に、実行部２０７が第１オブジェクトＢＪ１に割り当てられた機能を実行する。第１操作期間ＰＤ１は、第１オブジェクトＢＪ１の特定領域ＡＲ内において操作位置ＴＰを検出している期間を示す。操作位置ＴＰは、第１オブジェクトＢＪ１の領域内において、タッチ操作ＯＰが行われている位置を示す。よって、特定領域ＡＲに対してタッチ操作ＯＰが行われる場合には、第１操作期間ＰＤ１が第１応答期間ＰＤＡ以上である場合に、実行部２０７が第１オブジェクトＢＪ１に割り当てられた機能を実行する。したがって、第１応答期間ＰＤＡを短期間（例えば、０．３秒）に設定することによって、操作の誤検出を抑制しつつ、操作性を向上できる。
【００２９】
また、検出部２０３は、「操作」として、タッチセンサー１２を介してタッチ操作ＯＰを検出する。「操作」がタッチ操作ＯＰである場合には、ユーザーの手Ｈの震え、又はユーザーの身体の振動によって操作位置ＴＰがズレる。すなわち、ユーザーの手Ｈの震え、又はユーザーの身体の振動がある場合には、操作位置ＴＰを特定領域ＡＲに位置させることは困難である。よって、第１操作期間ＰＤ１が第１応答期間ＰＤＡ以上になる可能性は低い。ユーザーの手Ｈの震えは、例えば、ユーザーが高齢者である場合に発生する。また、ユーザーの身体の振動は、ユーザーが、例えば自動車、列車のような乗り物に乗っている場合に発生する。
【００３０】
また、ユーザーの手Ｈの震え及びユーザーの身体の振動がない場合には、操作位置ＴＰを特定領域ＡＲに位置させることは容易であるため、第１操作期間ＰＤ１が第１応答期間ＰＤＡ以上になる可能性は高い。したがって、本件発明の効果が顕在化する。すなわち、特定領域ＡＲに対してタッチ操作ＯＰが行われる場合には、第１応答期間ＰＤＡを短期間（例えば、０．３秒）に設定することによって、操作の誤検出を抑制しつつ、操作性を向上できる。
【００３１】
本発明の実施形態では、「操作」がタッチ操作ＯＰを示すが、本発明はこれに限定されない。「操作」は、１つのオブジェクトＢＪ１に対する操作であればよい。例えば、「操作」が強押し操作である形態でもよい。
【００３２】
次に、図１〜図３を参照して、操作画面３００について説明する。図３は、操作画面３００の一例を示す画面図である。図３に示すように、操作画面３００には、コピーボタン３０１、プリンターボタン３０２、ファクシミリボタン３０３及びスキャナーボタン３０４が表示されている。コピーボタン３０１、プリンターボタン３０２、ファクシミリボタン３０３及びスキャナーボタン３０４は、複数のオブジェクトＢＪに相当する。
【００３３】
本発明の実施形態では、タブレット端末装置１００は、画像形成装置２００（図８参照）と通信可能に接続されている。画像形成装置２００は、複合機である。画像形成装置２００は、コピー機能、プリンター機能、ファクシミリ機能、及びスキャナー機能を有する。
【００３４】
表示部２０１は、操作画面３００をディスプレー１１に表示する。コピーボタン３０１、プリンターボタン３０２、ファクシミリボタン３０３及びスキャナーボタン３０４は、複数のオブジェクトＢＪの一例に相当する。本発明の実施形態では、「複数」は４つである。
【００３５】
コピーボタン３０１に対しては、ユーザーがコピー機能を使用する場合に、ユーザーによってタッチ操作ＯＰが行われる。すなわち、ユーザーがコピー機能を使用する場合には、コピーボタン３０１に対してタッチ操作ＯＰを行う。コピーボタン３０１は、第１オブジェクトＢＪ１に相当する。
【００３６】
プリンターボタン３０２に対しては、ユーザーがプリンター機能を使用する場合に、ユーザーによってタッチ操作ＯＰが行われる。すなわち、ユーザーがプリンター機能を使用する場合には、プリンターボタン３０２に対してタッチ操作ＯＰを行う。以下の説明において、プリンターボタン３０２を、第２オブジェクトＢＪ２という場合がある。
【００３７】
ファクシミリボタン３０３に対しては、ユーザーがファクシミリ機能を使用する場合に、ユーザーによってタッチ操作ＯＰが行われる。すなわち、ユーザーがファクシミリ機能を使用する場合には、ファクシミリボタン３０３に対してタッチ操作ＯＰを行う。以下の説明において、ファクシミリボタン３０３を、第３オブジェクトＢＪ３という場合がある。
【００３８】
スキャナーボタン３０４に対しては、ユーザーがスキャナー機能を使用する場合に、ユーザーによってタッチ操作ＯＰが行われる。すなわち、ユーザーがスキャナー機能を使用する場合には、スキャナーボタン３０４に対してタッチ操作ＯＰを行う。以下の説明において、スキャナーボタン３０４を、第４オブジェクトＢＪ４という場合がある。
【００３９】
本発明の実施形態では、ユーザーは、コピーボタン３０１に対してタッチ操作ＯＰを行う。具体的には、ユーザーは、手Ｈの人差し指で、コピーボタン３０１が表示されている領域内の操作位置ＴＰに触れる。検出部２０３は、コピーボタン３０１の領域内において、操作位置ＴＰを検出する。操作位置ＴＰは、タッチ操作ＯＰが行われている位置を示す。
【００４０】
次に、図１〜図４を参照して、特定領域ＡＲ及び非特定領域ＢＲについて説明する。図４は、第１オブジェクトＢＪ１の特定領域ＡＲ及び非特定領域ＢＲの一例を示す図である。図４に示すように、第１オブジェクトＢＪ１のサイズは、高さＴと幅Ｗとで表される。高さＴは、タッチパネル１の上下方向に沿った第１オブジェクトＢＪ１の長さを示す。幅Ｗは、タッチパネル１の左右方向に沿った第１オブジェクトＢＪ１の長さを示す。
【００４１】
特定領域ＡＲは、第１オブジェクトＢＪ１の領域の一部を示す。例えば、特定領域ＡＲは、タッチパネル１に表示されているコピーボタン３０１の領域の一部を示す。特定領域ＡＲには網掛けを付して、特定領域ＡＲの範囲を明示している。非特定領域ＢＲは、第１オブジェクトＢＪ１の領域のうち、特定領域ＡＲ以外の領域を示す。
【００４２】
また、第１オブジェクトＢＪ１の周囲ＰＲ１から特定領域ＡＲまでの距離ＬＣ及び距離ＬＤは、第２距離Ｌ２以上である。距離ＬＣは、第１オブジェクトＢＪ１の周囲ＰＲ１からのタッチパネル１の上下方向に沿った距離を示す。具体的には、周囲ＰＲ１は、上辺ＬＢ１、下辺ＬＢ２、左辺ＢＢ１及び右辺ＢＢ２から構成される。距離ＬＣは、第１オブジェクトＢＪ１の上辺ＬＢ１と上辺ＬＢ１に近接する側の特定領域ＡＲの端（上側端）との距離を示す。また、距離ＬＣは、下辺ＬＢ２と下辺ＬＢ２に近接する側の特定領域ＡＲの端（下側端）との距離を示す。
【００４３】
距離ＬＤは、第１オブジェクトＢＪ１の周囲ＰＲ１からのタッチパネル１の左右方向に沿った距離を示す。具体的には、距離ＬＤは、左辺ＢＢ１と左辺ＢＢ１に近接する側の特定領域ＡＲの端（左側端）との距離を示す。距離ＬＤは、右辺ＢＢ２と右辺ＢＢ２に近接する側の特定領域ＡＲの端（右側端）との距離を示す。
【００４４】
第２距離Ｌ２は、例えば第１オブジェクトＢＪ１のサイズに基づいて予め設定されている。第２距離Ｌ２は、「所定の閾値距離」に相当する。第１オブジェクトＢＪ１のサイズは、高さＴと幅Ｗとを示す。例えば、第２距離Ｌ２は、第１オブジェクトＢＪ１のサイズに応じて設定される。
【００４５】
以上、図１〜図４を参照して説明したように、本発明の実施形態では、第１オブジェクトＢＪ１の周囲ＰＲ１から特定領域ＡＲまでの距離ＬＣ及び距離ＬＤは、第２距離Ｌ２以上である。よって、第２距離Ｌ２が充分大きい場合には、タッチ操作ＯＰが第１オブジェクトＢＪ１の中心近傍に対して行われているため、誤ってタッチ操作ＯＰがされた可能性は低い。したがって、第１応答期間ＰＤＡを短期間（例えば、０．３秒）に設定することによって、短期間でタッチ操作ＯＰが行われたと判定できる。
【００４６】
本発明の実施形態では、オブジェクトＢＪがボタンオブジェクトであるが、本発明はこれに限定されない。オブジェクトＢＪがボタンオブジェクト以外の種類のオブジェクトであってもよい。オブジェクトＢＪが、例えばアイコンを示す形態でもよい。また、オブジェクトＢＪが、例えばショートカットを示す形態でもよい。
【００４７】
また、本発明の実施形態では、非特定領域ＢＲは、第１オブジェクトＢＪ１の領域のうち特定領域ＡＲ以外の領域を示すが、発明はこれに限定されない。非特定領域ＢＲが、第１オブジェクトＢＪ１の領域のうち特定領域ＡＲとは異なる領域であればよい。非特定領域ＢＲが、例えば、第１オブジェクトＢＪ１の周囲ＰＲ１からの距離ＬＣ及び距離ＬＤが第２距離Ｌ２以下の領域を示す形態でもよい。
【００４８】
次に、図１〜図５を参照して、特定領域ＡＲ及び非特定領域ＢＲについて更に説明する。図５は、第１オブジェクトＢＪ１の特定領域ＡＲ及び非特定領域ＢＲの図４とは別一例を示す図である。図５に示す第１オブジェクトＢＪ１は、第２オブジェクトＢＪ２と隣接している点で、図４に示す第１オブジェクトＢＪ１と相違している。
【００４９】
図５に示す特定領域ＡＲは、図４に示す特定領域ＡＲと同様に、第１オブジェクトＢＪ１の周囲ＰＲ１から特定領域ＡＲまでの距離は、第２距離Ｌ２以上である。
【００５０】
特定領域ＡＲは、第１オブジェクトＢＪ１の領域の一部を示す。例えば、特定領域ＡＲは、タッチパネル１に表示されているコピーボタン３０１の領域の一部を示す。特定領域ＡＲには網掛けを付して、特定領域ＡＲの範囲を明示している。非特定領域ＢＲは、第１オブジェクトＢＪ１の領域のうち、特定領域ＡＲ以外の領域を示す。
【００５１】
また、図５に示すように、第１オブジェクトＢＪ１以外のオブジェクトＢＪから特定領域ＡＲまでの距離ＬＢは、第１距離Ｌ１以上である。第１距離Ｌ１は、第１オブジェクトＢＪ１と、第１オブジェクトＢＪ１以外のオブジェクトＢＪとの間の距離を示す。具体的には、第１オブジェクトＢＪ１以外のオブジェクトＢＪは、第２オブジェクトＢＪ２、第３オブジェクトＢＪ３及び第４オブジェクトＢＪ４を示す。換言すれば、第１オブジェクトＢＪ１以外のオブジェクトＢＪは、プリンターボタン３０２、ファクシミリボタン３０３及びスキャナーボタン３０４を示す。図５では、ファクシミリボタン３０３及びスキャナーボタン３０４の表示を省略している。
【００５２】
距離ＬＢは、直線ＬＮ１と直線ＬＮ２との間の距離を示す。直線ＬＮ１は、第２オブジェクトＢＪ２の第１オブジェクトＢＪ１に近接する側の端を示す。直線ＬＮ２は、特定領域ＡＲの第２オブジェクトＢＪ２に近接する側の端を示す。
【００５３】
第１距離Ｌ１は、例えばコピーボタン３０１とプリンターボタン３０２との間の距離を示す。具体的には、第１距離Ｌ１は、コピーボタン３０１のプリンターボタン３０２に近接する側の端（右側端）と、プリンターボタン３０２のコピーボタン３０１に近接する側の端（左側端）との間の距離を示す。
【００５４】
以上、図１〜図５を参照して説明したように、本発明の実施形態では、第２オブジェクトＢＪ２〜第４オブジェクトＢＪ４から特定領域ＡＲまでの距離ＬＢは、第１距離Ｌ１以上である。第１距離Ｌ１は、第１オブジェクトＢＪ１と第２オブジェクトＢＪ２〜第４オブジェクトＢＪ４の各々との距離を示す。よって、距離ＬＢが充分大きい場合には、タッチ操作ＯＰが第２オブジェクトＢＪ２〜第４オブジェクトＢＪ４に対して行われた可能性は低い。距離ＬＢが充分大きい場合とは、例えば、以下のような場合である。すなわち、図５においては、直線ＬＮ２は、特定領域ＡＲの第２オブジェクトＢＪ２から離間する側の端よりも第１オブジェクトＢＪ１の中心に近接している。換言すれば、特定領域ＡＲの第２オブジェクトＢＪ２に近接する側の端が、図４に示す特定領域ＡＲと比較して直線ＬＮ１から更に離間するように、直線ＬＮ２の位置が設定されている。したがって、第１応答期間ＰＤＡを短期間（例えば、０．３秒）に設定することによって、操作の誤検出を抑制しつつ、短期間でタッチ操作ＯＰが行われたと判定できる。
【００５５】
次に、図１〜図７を参照して、制御部２の処理について説明する。図６及び図７は、制御部２の処理の一例を示すフローチャートである。本実施形態において、ディスプレー１１には、図３に示す操作画面３００が予め表示されている場合について説明する。すなわち、ディスプレー１１には、第１オブジェクトＢＪ１〜第４オブジェクトＢＪ４が表示されている。
図６に示すように、まず、ステップＳ１０１において、受付部２０２が第１オブジェクトＢＪ１に対するタッチ操作ＯＰを受け付けているか否かを判定する。
第１オブジェクトＢＪ１に対するタッチ操作ＯＰを受け付けていないと受付部２０２が判定した場合（ステップＳ１０１でＮＯ）には、処理が待機状態になる。第１オブジェクトＢＪ１に対するタッチ操作ＯＰを受け付けていると受付部２０２が判定した場合（ステップＳ１０１でＹＥＳ）には、処理がステップＳ１０３に進む。
そして、ステップＳ１０３において、検出部２０３が第１オブジェクトＢＪ１の領域内において、操作位置ＴＰを検出する。操作位置ＴＰは、タッチ操作ＯＰが行われている位置を示す。
【００５６】
次に、ステップＳ１０５において、第１判定部２０４が、操作位置ＴＰが第１オブジェクトＢＪ１の特定領域ＡＲ内の位置であるか否かを判定する。
操作位置ＴＰが第１オブジェクトＢＪ１の特定領域ＡＲ内の位置ではないと第１判定部２０４が判定した場合（ステップＳ１０５でＮＯ）には、処理が図７に示すステップＳ１１５に進む。操作位置ＴＰが第１オブジェクトＢＪ１の特定領域ＡＲ内の位置であると第１判定部２０４が判定した場合（ステップＳ１０５でＹＥＳ）には、処理がステップＳ１０７に進む。
そして、ステップＳ１０７において、計時部２０５が第１操作期間ＰＤ１を求める。第１操作期間ＰＤ１は、検出部２０３が特定領域ＡＲ内において操作位置ＴＰを検出している期間を示す。
次に、ステップＳ１０９において、第２判定部２０６が、第１操作期間ＰＤ１が第１応答期間ＰＤＡ以上であるか否かを判定する。第１応答期間ＰＤＡは、例えば０．３秒である。
第１操作期間ＰＤ１が第１応答期間ＰＤＡ以上ではないと第２判定部２０６が判定した場合（ステップＳ１０９でＮＯ）には、処理がステップＳ１０５に戻る。第１操作期間ＰＤ１が第１応答期間ＰＤＡ以上であると第２判定部２０６が判定した場合（ステップＳ１０９でＹＥＳ）には、処理がステップＳ１１１に進む。
そして、ステップＳ１１１において、第２判定部２０６が、第１オブジェクトＢＪ１に対してタッチ操作ＯＰが行われたと判定する。
次に、ステップＳ１１３において、実行部２０７が第１オブジェクトＢＪ１に対応付けられた機能を実行する。例えば、実行部２０７は、コピー画面をディスプレー１１に表示する。コピー画面は、コピー条件を設定する画面を示す。そして、処理が終了する。
【００５７】
ステップＳ１０５でＮＯの場合には、図７に示すステップＳ１１５において、計時部２０５が第２操作期間ＰＤ２を求める。第２操作期間ＰＤ２は、検出部２０３が第１オブジェクトＢＪ１内において操作位置ＴＰを検出している期間を示す。
次に、ステップＳ１１７において、第２判定部２０６が、第２操作期間ＰＤ２が第２応答期間ＰＤＢ以上であるか否かを判定する。第２応答期間ＰＤＢは、第１応答期間ＰＤＡより長い。第２応答期間ＰＤＢは、例えば３秒である。
第２操作期間ＰＤ２が第２応答期間ＰＤＢ以上であると第２判定部２０６が判定した場合（ステップＳ１１７でＹＥＳ）には、処理が図６のステップＳ１１１に進む。第２操作期間ＰＤ２が第２応答期間ＰＤＢ以上ではないと第２判定部２０６が判定した場合（ステップＳ１１７でＮＯ）には、処理がステップＳ１１９に進む。
そして、ステップＳ１１９において、制御部２が、操作位置ＴＰが第１オブジェクトＢＪ１の領域内の位置であるか否かを判定する。
操作位置ＴＰが第１オブジェクトＢＪ１の領域内の位置ではないと制御部２が判定した場合（ステップＳ１１９でＮＯ）には、処理が図６のステップＳ１０１に戻る。操作位置ＴＰが第１オブジェクトＢＪ１の領域内の位置であると制御部２が判定した場合（ステップＳ１１９でＹＥＳ）には、処理が図６のステップＳ１０５に戻る。
【００５８】
ステップＳ１０３が「検出ステップ」の一例に相当する。ステップＳ１１３が「実行ステップ」の一例に相当する。
【００５９】
以上、図１〜図７を参照して説明したように、本発明の実施形態では、第２操作期間ＰＤ２が、第１応答期間ＰＤＡより長い第２応答期間ＰＤＢ以上である場合に、第１オブジェクトＢＪ１に対してタッチ操作ＯＰが行われたと判定する。第２操作期間ＰＤ２は、第１オブジェクトＢＪ１内において操作位置ＴＰを検出している期間を示す。したがって、ユーザーの手の震え、又はユーザーの身体の振動に起因して操作位置ＴＰがズレる場合であっても、第１オブジェクトＢＪ１に対するタッチ操作ＯＰを判定できる。また、第２応答期間ＰＤＢを適正な値（例えば、３秒）に設定することによって、誤検出を抑制できる。
【００６０】
＜画像形成装置＞
次に、図８を参照して、本発明に係る画像形成装置２００について説明する。図８は、本発明に係る画像形成装置２００の構成の一例を示す図である。図８に示すように、画像形成装置２００は複合機である。画像形成装置２００は、画像形成ユニット４１、画像読取ユニット４２、原稿搬送ユニット４３、操作パネル４４及び制御部２を備える。
【００６１】
画像形成ユニット４１は、用紙Ｐに画像を形成する。画像読取ユニット４２は、原稿Ｒに形成された画像を読み取る。原稿搬送ユニット４３は、原稿Ｒを画像読取ユニット４２に供給する。操作パネル４４は、タッチパネル１を備え、ユーザーからの操作を受け付ける。
【００６２】
また、画像形成ユニット４１は、給送部４１１、搬送部４１２、形成実行部４１３、定着部４１４、排出部４１５及び排出トレイを備える。
【００６３】
給送部４１１は、用紙Ｐを搬送部Ｌへ供給する。搬送部４１２は、用紙Ｐを形成実行部４１３及び定着部４１４を経由して排出部４１５まで搬送する。
【００６４】
形成実行部４１３は、用紙Ｐに画像を形成する。定着部４１４は、用紙Ｐを加熱及び加圧し、用紙Ｐに形成された画像を用紙Ｐに定着する。排出部４１５は、用紙Ｐを画像形成装置２００の外部へ排出する。
【００６５】
タッチパネル１は、タブレット端末装置１００のタッチパネル１と略同一の構成を備える。また、制御部２はタブレット端末装置１００の制御部２と略同一の構成を備える。すなわち、制御部２は、表示部２０１、受付部２０２、検出部２０３、第１判定部２０４、計時部２０５、第２判定部２０６及び実行部２０７を備える。したがって、画像形成装置２００は、タブレット端末装置１００と同様の効果を奏する。画像形成装置２００は、「表示制御装置」の一例に相当する。
【００６６】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６７】
（１）図１〜図８を参照して説明したように、表示制御装置はタブレット端末装置１００又は画像形成装置２００であるが、本発明はこれに限定されない。表示制御装置がディスプレー及び制御部を備えればよい。例えば、表示制御装置が、スマートフォン、ＣＤプレイヤー、ＤＶＤプレイヤー、及び各種家電機器のような装置である形態でもよい。また、例えば、表示制御装置が、カーナビゲーション装置である形態でもよい。
【００６８】
（２）図１〜図８を参照して説明したように、複数のオブジェクトＢＪが操作画面３００に表示されるが、本発明はこれに限定されない。複数のオブジェクトＢＪがディスプレー１１に表示されればよい。例えば、複数のオブジェクトＢＪが初期画面に表示される形態でもよい。
【産業上の利用可能性】
【００６９】
本発明は、ディスプレーを備える表示制御装置、表示制御方法、及び画像形成装置に利用可能である。
【符号の説明】
【００７０】
１００    タブレット端末装置
１    タッチパネル
１１    ディスプレー（表示制御装置の一部）
１２    タッチセンサー
２    制御部（表示制御装置の一部）
２１    プロセッサー
２２    記憶部
２０１    表示部
２０２    受付部
２０３    検出部
２０４    第１判定部
２０５    計時部
２０６    第２判定部
２０７    実行部
２００    画像形成装置
４１    画像形成ユニット
４２    画像読取ユニット
４３    原稿搬送ユニット
４４    操作パネル
１    タッチパネル
２    制御部
ＡＲ    特定領域
ＢＲ    非特定領域
ＯＰ    タッチ操作
ＴＰ    操作位置
ＢＪ    オブジェクト
ＢＪ１    第１オブジェクト
ＢＪ２    第２オブジェクト
ＢＪ３    第３オブジェクト
ＢＪ４    第４オブジェクト
Ｌ１    第１距離
Ｌ２    第２距離
ＰＤ１    第１操作期間
ＰＤ２    第２操作期間
ＰＤＡ    第１応答期間
ＰＤＢ    第２応答期間
【図１】
2018163551.tif 000003
【図２】
2018163551.tif 000004
【図３】
2018163551.tif 000005
【図４】
2018163551.tif 000006
【図５】
2018163551.tif 000007
【図６】
2018163551.tif 000008
【図７】
2018163551.tif 000009
【図８】
2018163551.tif 000010